(57)【特許請求の範囲】
【請求項１】
透液性表面シートと不透液性裏面シートとにて背側腰回り部、両側に脚回り部を有する股下回り部および腹側腰回り部を長手方向に順次に一体的に形成しかつこの透液性表面シートと不透液性裏面シートとの間に吸収体を配設した幅方向対称の吸収性物品本体を備え、
前記吸収体は、少なくとも前記吸収性物品本体の股下回り部に位置する部分を第１吸収体部と第２吸収体部とに幅方向に分割してこの第１吸収体部と第２吸収体部との間に吸収体不存在部を形成し、
前記吸収体不存在部は、前記吸収体の長手方向の両端縁より内側でかつ幅方向略中央部に位置し、かつ、前記透液性表面シート側が前記不透液性裏面シート側に向って窪むように断面凹状に形成され、
前記吸収体不存在部に位置して、吸収性物品本体の透液性表面シートと不透液性裏面シートとの間に、この吸収体不存在部より幅が狭い拡散シートを配設した
ことを特徴とした使い捨て吸収性物品。
【請求項２】
吸収体の第１吸収体部と第２吸収体部間に形成した吸収体不存在部の幅方向の寸法は、第１及び第２吸収体部のそれぞれの幅方向寸法より広い寸法とするとともに第１及び第２吸収体部の幅方向合計寸法より狭い寸法とし、かつ、長手方向寸法は、吸収体の長手方向の長さの２分の１より長い寸法としたことを特徴とした請求項１記載の使い捨て吸収性物品。
【請求項３】
吸収体の第１吸収体部と第２吸収体部間に形成した吸収体不存在部は、吸収性物品本体の股下回り部から腹側腰回り部側に位置していることを特徴とする請求項１または２記載の使い捨て吸収性物品。
【請求項４】
吸収体の第１吸収体部と第２吸収体部間に形成した吸収体不存在部は、吸収性物品本体の股下回り部から背側腰回り部側に位置していることを特徴とする請求項１または２記載の使い捨て吸収性物品。
【請求項５】
吸収性物品本体の透液性表面シートの表面には、吸収体の吸収体不存在部に位置して吸収パッドの裏面に設けた面状ファスナーと係合する係合面を形成したことを特徴とする請求項１ないし４のいずれかに記載の使い捨て吸収性物品。
【発明の詳細な説明】
【０００１】
【発明の属する技術分野】
本発明は乳幼児用、大人用或いは失禁用などに用いる使い捨ておむつなどの吸収性物品に関する。
【０００２】
【従来の技術】
従来、この種の使い捨ておむつは、透液性表面シートと不透液性裏面シートとの間に吸収体を配設し、背側腰回り部、両側に脚回り部を有する股下回り部および腹側腰回り部を長手方向に順次に一体的に形成したおむつ本体を備え、このおむつ本体の股下回り部の幅は人の股間幅に比べてかなり広い幅寸法に形成されている。
【０００３】
そして、最近は、おむつ本体の股下回り部にこのおむつ本体より小さい吸収パッドを着脱自在に装着し、この吸収パッドを交換することによっておむつ本体を経済的に使用できるようにしている。
【０００４】
また、実開平２−８４６２３号公報に記載されているように、透液性表面シートと不透液性裏面シートとにて背側腰回り部、両側に脚回り部を有する股下回り部および腹側腰回り部を長手方向に順次に形成し、この透液性表面シートと不透液性裏面シートとの間の股下回り部に吸収体を配設して形成したおむつ本体は、吸収体を幅方向に複数に分割して長さ方向の吸収体の存在しない溝状の吸収体不存在部を形成した使い捨ておむつが知られている。
【０００５】
【発明が解決しようとする課題】
前記透液性表面シートと不透液性裏面シートとの間にの股下回り部に人の股間幅より広い幅の吸収体を配設した使い捨ておむつでは、おむつ本体を装着した状態で、吸収体は股下部分で不規則に捩れ、吸収体が有効に使用されず、また、おむつ本体に吸収パッドを併用する場合、使用中に吸収パッドが位置ずれし、おむつ本体と吸収パッドとをともに汚すことがあり、おむつ本体単体で使用する場合より寧ろ不経済となり、さらに、吸収パッドを併用した場合、吸収パッドが配置された部分に位置するおむつ本体の吸収体は有効に活用されず無駄となることがある問題を有している。
【０００６】
また、前記実開平２−８４６２３号公報に記載されている使い捨ておむつでは、吸収体の存在しない溝状の吸収体不存在部によっておむつ本体の幅方向への収縮を促し、尿など液体の長さ方向への拡散を促す効果があるが、吸収パッドの位置ずれは防止できない問題があった。
【０００７】
本発明は上記問題点に鑑みなされたもので、吸収性物品の装着時に不規則な捩れが生じることがなく、優れた吸収性能を有し、経済性に優れ、また、吸収体を併用した場合に吸収パッドが位置ずれすることがない使い捨て吸収性物品を提供するものである。
【０００８】
【課題を解決するための手段】
請求項１記載の発明の使い捨て吸収性物品は、透液性表面シートと不透液性裏面シートとにて背側腰回り部、両側に脚回り部を有する股下回り部および腹側腰回り部を長手方向に順次に一体的に形成しかつこの透液性表面シートと不透液性裏面シートとの間に吸収体を配設した幅方向対称の吸収性物品本体を備え、前記吸収体は、少なくとも前記吸収性物品本体の股下回り部に位置する部分を第１吸収体部と第２吸収体部とに幅方向に分割してこの第１吸収体部と第２吸収体部との間に吸収体不存在部を形成し、前記吸収体不存在部は、前記吸収体の長手方向の両端縁より内側でかつ幅方向略中央部に位置し、かつ、前記透液性表面シート側が前記不透液性裏面シート側に向って窪むように断面凹状に形成され、前記吸収体不存在部に位置して、吸収性物品本体の透液性表面シートと不透液性裏面シートとの間に、この吸収体不存在部より幅が狭い拡散シートを配設したものである。
【０００９】
そして、吸収性物品本体の透液性表面シートと不透液性裏面シートとの間の配設した吸収体を第１吸収体部と第の吸収体とに分割して吸収体不存在部を形成しため、人の股間幅に比して広い幅の吸収体は吸収性物品本体を装着することによって吸収体不存在部が狭まり、吸収体は股間幅に合せた幅になり、吸収体に不規則な捩れが生じることがないので、吸収体の液体吸収性能が低下することなく、また、吸収体不存在部に位置して吸収パッドを装着することにより、吸収パッドが位置ずれすることがなく、液体の殆どが吸収パッドに確実に吸収でき、吸収性物品本体を有効に使用でき、吸収性物品本体の経済性を高められる。
【００１０】
また、吸収体の吸収体不存在部は、吸収体の長手方向の両端縁より内側でかつ幅方向略中央部に位置するため、吸収体が吸収体不存在部を囲むようになり、吸収体不存在部または吸収パッドに流れた液体は吸収体不存在部から吸収体に吸収され、液体漏れが生じることがない。
【００１１】
さらに、吸収体の第１吸収体部と第２吸収体部の間の吸収体不存在部に配設した拡散シートにて第１吸収体部と第２吸収体部の間の空間を確保でき、排尿液が吸収体不存在部に確実に流れ込み、吸収体に拡散吸収される。
【００１２】
また、吸収体は素材量を少なくでき、安価に製造できる。
【００１３】
請求項２記載の発明の使い捨て吸収性物品は、請求項１記載の使い捨て吸収性物品において、吸収体の第１吸収体部と第２吸収体部間に形成した吸収体不存在部の幅方向の寸法は、第１及び第２吸収体部のそれぞれの幅方向寸法より広い寸法とするとともに第１及び第２吸収体部の幅方向合計寸法より狭い寸法とし、かつ、長手方向寸法は、吸収体の長手方向の長さの２分の１より長い寸法としたものである。
【００１４】
そして、吸収体の吸収体不存在部は幅方向の寸法が第１及び第２吸収体部のそれぞれの幅方向寸法より広い寸法としたため、吸収体不存在部の幅方向の幅がある程度確保でき、吸収パッドを装着した場合、吸収パッドの位置ずれが防止でき、また、吸収体の第１吸収体部と第２吸収体部間に形成した吸収体不存在部の幅方向の寸法は、第１及び第２吸収体部の幅方向合計寸法より狭い寸法としたため、第１吸収体部と第２吸収体部とにある程度の剛性が確保でき、第１吸収体部と第２吸収体部との不規則な捩れが防止される。
【００１５】
さらに、吸収体の第１吸収体部と第２吸収体部間に形成した吸収体不存在部の長手方向寸法は吸収体の長手方向の長さの２分の１より長い寸法としたために、吸収体不存在部に流れた液体が吸収性物品本体の長手方向の背側腰回り部、腹側腰回り部に位置する吸収体の部分に拡散して吸収体に有効に液体を吸収できる。
【００１６】
請求項３記載の発明の使い捨て吸収性物品は、請求項１または２記載の使い捨て吸収性物品において、吸収体の第１吸収体部と第２吸収体部間に形成した吸収体不存在部は、吸収性物品本体の股下回り部から腹側腰回り部側に位置しているものである。
【００１７】
そして、吸収体の吸収体不存在部は、吸収性物品本体の股下回り部から腹側腰回り部側に位置しているため、吸収体不存在部に位置して装着した吸収パッドを男性の排尿位置に合せて装着でき、男性用として吸収パッドの装着位置を確実にでき、排尿の液体を確実に吸収できる。
【００１８】
請求項４記載の発明の使い捨て吸収性物品は、請求項１または２記載の使い捨て吸収性物品において、吸収体の第１吸収体部と第２吸収体部間に形成した吸収体不存在部は、吸収性物品本体の股下回り部から背側腰回り部側に位置しているものである。
【００１９】
そして、吸収体の吸収体不存在部は、吸収性物品本体の股下回り部から背側腰回り部側に位置しているため、吸収体不存在部に位置して装着した吸収パッドを女性の排尿位置に合せて装着でき、女性用として吸収パッドの装着位置を確実にでき、排尿液を確実に吸収できる。
【００２０】
請求項５記載の発明の使い捨て吸収性物品は、請求項１ないし４のいずれかに記載の使い捨て吸収性物品において、吸収性物品本体の透液性表面シートの表面には、吸収体の吸収体不存在部に位置して吸収パッドの裏面に設けた面状ファスナーと係合する係合面を形成したものである。
【００２１】
そして、吸収性物品本体の透液性表面シートの表面には、吸収体の吸収体不存在部に位置して面状ファスナーと係合する係合面したので、この係合面に吸収パッドの裏面に設けた面状ファスナーを結合でき、吸収パッドを装着するとき、吸収パッドの装着が容易で確実に所定位置に吸収パッドを装着できる。
【００２２】
【発明の実施の形態】
本発明の使い捨ておむつの前提となる形態を図１および図２に基づいて説明する。
【００２３】
図１ないし図２において、１はおむつなどの吸収性物品本体で、この吸収性物品本体１は透液性表面シート２および不透液性裏面シート３とにて背側腰回り部４、両側に脚回り部５を有する股下回り部６および腹側腰回り部７を長手方向に順次に一体的に幅方向対称に形成され、この透液性表面シート２および不透液性裏面シート３との周縁は接着または融着などにより結合され、この透液性表面シート２と不透液性裏面シート３との間に吸収体８が配設されている。
【００２４】
前記透液性表面シート２は液体を透過する肌触りのよい織布、不織布、多孔性フィルム、合成樹脂繊維などにて形成され、また、不透液性裏面シート３は液体を透過しないポリエチレン樹脂などの樹脂性フィルムにて形成されている。
【００２５】
そして、この吸収性物品本体１の股下回り部６の両側に形成した脚回り部５は略凹円弧状に切欠いた凹弧状縁に形成され、この凹弧状縁に沿って前記透液性表面シート２および不透液性裏面シート３との間に伸張した状態で結合した１本ないし複数本のゴムなどの弾性体９を配設してレッグギャザー部10が形成されている。
【００２６】
次に、前記吸収性物品本体１の吸収体８はパルプを主材として高分子吸水性ポリマーを含む物質などにて形成されている。
【００２７】
この吸収体８は、少なくとも前記吸収性物品本体１の股下回り部６に位置する部分を長孔状に刳り抜いて第１吸収体部11と第２吸収体部12とに幅方向に分割してこの第１吸収体部11と第２吸収体部12との間に吸収体不存在部13を形成する。
【００２８】
また、前記吸収体不存在部13は、前記吸収体８の長手方向の両端縁より内側でかつ幅方向略中央部に位置し、前記吸収体８の第１吸収体部11と第２吸収体部12との間に形成した吸収体不存在部13の幅方向の寸法Ｗは、第１及び第２吸収体部11,12のそれぞれの幅方向寸法ｗより広い寸法とするとともに第１及び第２吸収体部11,12の幅方向合計寸法２ｗより狭い寸法Ｗとする。
【００２９】
さらに、前記吸収体不存在部13の長手方向寸法は、吸収体８の長手方向の長さの２分の１より長い寸法となっている。
【００３０】
次に、この前提となる使い捨ておむつの作用について説明する。
【００３１】
吸収性物品本体１の不透液性裏面シート３を外側にするとともに透液性表面シート２を肌側にして、おむつ本体１の腹側腰回り部７を腹側に当て股下回り部６を股下部に当てるとともに背側腰回り部４を背側に当てて吸収性物品本体１の腹側腰回り部７の不透液性裏面シート３の両側に不透液性表面シート11の背側腰回り部４の両側部を面ファスナーなどにて結合することにより、吸収性物品本体１は人体に装着される。
【００３２】
この状態で、おむつ本体１の両側縁部の凹弧状縁に沿った両側脚回り部５に取り付けた弾性体９によるレッグギャザー部10が脚回りに密着される。
【００３３】
さらに、吸収性物品本体１の透液性表面シート２と不透液性裏面シート３の間の配設した吸収体８を第１吸収体部11と第２吸収体12とに分割して吸収体不存在部13を形成しため、人の股間幅に比して広い幅の吸収体８は吸収性物品本体１を人体に装着することによって吸収体不存在部13が狭まり、吸収体８は股間幅に合せた幅になり、吸収体８に不規則な捩れが生じることがなく、吸収体８の液体吸収性能が低下することない。
【００３４】
そして、吸収体８の吸収体不存在部13は幅方向の寸法Ｗが第１及び第２吸収体部11,12のそれぞれの幅方向寸法ｗより広い寸法であるため、吸収体不存在部13の幅方向の幅がある程度確保でき、吸収パッドを装着した場合、吸収パッドの位置ずれが防止でき、また、吸収体８の第１吸収体部11と第２吸収体部12間に形成した吸収体不存在部13の幅方向の寸法Ｗは、第１及び第２吸収体部11,12の幅方向合計寸法２ｗより狭い寸法としたため、第１吸収体部11と第２吸収体部12とにある程度の剛性が確保でき、第１吸収体部11と第２吸収体部12との不規則な捩れを防止できる。
【００３５】
さらに、吸収体８の第１吸収体部11と第２吸収体部12間に形成した吸収体不存在部13の長手方向寸法は吸収体８の長手方向の長さの２分の１より長い寸法としたために、吸収体不存在部13に流れた排尿液が吸収性物品本体１の長手方向の背側腰回り部４、腹側腰回り部７に位置する吸収体８の部分に拡散して吸収体８に有効に排尿液を吸収できる。
【００３６】
また、吸収体不存在部13に位置して吸収パッドを装着した場合、吸収パッドが位置ずれすることがなく、排尿液の殆どが吸収パッドに確実に吸収され、吸収性物品本体１を有効に使用でき、吸収性物品本体１の経済性を高められる。
【００３７】
また、吸収体の吸収体不存在部は、吸収体の長手方向の両端縁より内側でかつ幅方向略中央部に位置するため、吸収体が吸収体不存在部を囲むようになり、吸収体不存在部または吸収パッドに流れた液体は吸収体不存在部から吸収体に吸収され、液体漏れが生じることがない。
【００３８】
さらに、吸収体８は素材量を少なくでき、安価に製造できる。
【００３９】
次に本発明の使い捨ておむつの他の前提となる形態を図４に基いて説明する。
【００４０】
この図４に示す形態は、男性用の吸収性物品で、前記実施の形態において、吸収体８の第１吸収体部11と第２吸収体部12間に形成した吸収体不存在部13は、吸収性物品本体１の股下回り部６から腹側腰回り部７側に位置している。他の構成は前記図１ないし３に示す実施の形態と同一である。
【００４１】
そして、この実施の形態では、吸収体８の吸収体不存在部13は、吸収性物品本体１の股下回り部６から腹側腰回り部７側に位置しているため、吸収体不存在部13は人体に装着した状態で男性の排尿位置に位置し、この吸収体不存在部13に位置して装着した吸収パッドは男性の排尿位置に合せて装着され、男性用として吸収パッドの装着位置を確実にでき、吸収パッドは排尿液を確実に吸収できる位置に装着される。
【００４２】
さらに、本発明の使い捨ておむつの他の前提となる形態を図５に基いて説明する。
【００４３】
この図５に示す形態は、女性用の吸収性物品で、前記実施の形態において、吸収体８の第１吸収体部11と第２吸収体部12間に形成した吸収体不存在部13は、吸収性物品本体１の股下回り部６から背側腰回り部４側に位置している。他の構成は前記図１ないし３に示す実施の形態と同一である。
【００４４】
そして、この実施の形態では、吸収体８の吸収体不存在部13は、吸収性物品本体１の股下回り部６から背側腰回り部４側に位置しているため、吸収体不存在部13は人体の装着した状態で女性の排尿位置に位置し、この吸収体不存在部13に位置して装着した吸収パッドは女性の排尿位置に合せて装着でき、女性用として吸収パッドの装着位置を確実にでき、吸収パッドは排尿液を確実に吸収できる位置に装着される。
【００４５】
次に本発明の使い捨ておむつの実施の形態を図６に基いて説明する。
【００４６】
この実施の形態では、前記図１ないし図３、または図４、図５に示す本発明の使い捨ておむつの他の前提となる形態において、吸収体８の第１吸収体部11と第２吸収体部12間の吸収体不存在部13に位置して、吸収性物品本体１の透液性表面シート２と不透液性裏面シート３の間に不織布、スポンジなどの透液性シートにて形成した拡散シート15が配設されている。他の構成は前記実施の形態と同一である。
【００４７】
この実施の形態では、吸収体８の第１吸収体部11と第２吸収体部12の間の吸収体不存在部13に配設した拡散シート15にて第１吸収体部11と第２吸収体部12の間に空間を確保でき、排尿液が吸収体不存在部13に確実に流れ込み、吸収体８に拡散吸収される。
【００４８】
さらに、発明の使い捨ておむつの他の実施の形態を図７に基いて説明する。
【００４９】
この実施の形態は図１ないし図３、図４、図５、または図６に示す実施の形態において、吸収性物品本体１の透液性表面シート２の表面には、吸収体８の吸収体不存在部13に位置して吸収パッドの裏面に設けた面状ファスナーと係合する係合面16が形成されている。
【００５０】
そして、この係合面16 は吸収パッドの裏面に設けた面状ファスナーと係合する面ファスナー、または不織布などにて形成されている。
【００５１】
この実施の形態では、吸収性物品本体１の透液性表面シート２の表面には、吸収体８の吸収体不存在部13に位置して形成した面状ファスナーと係合する係合面16とし、この係合面16に吸収パッドの裏面に設けた面状ファスナーを結合するようにしたので、吸収パッドを装着するとき、吸収パッドの装着が容易で確実に所定位置に吸収パッドを装着できる。
【００５２】
【発明の効果】
請求項１記載の発明によれば、人の股間幅に比して広い幅の吸収体は吸収性物品本体を人体に装着することによって吸収体不存在部が狭まり、吸収体は股間幅に合せた幅になり、吸収体に不規則な捩れが生じることがないので、吸収体の液体吸収性能が低下することなく、また、吸収体不存在部に位置して吸収パッドを装着することにより、吸収パッドが位置ずれすることがなく、液体の殆どが吸収パッドに確実に吸収でき、吸収性物品本体を有効に使用でき、吸収性物品本体の経済性を高められる。
【００５３】
また、吸収体の吸収体不存在部は、吸収体の長手方向の両端縁より内側でかつ幅方向略中央部に位置するため、吸収体が吸収体不存在部を囲むようになり、吸収体不存在部または吸収パッドに流れた液体は吸収体不存在部から吸収体に吸収され、液体漏れが生じることがない。
【００５４】
さらに、吸収体の第１吸収体部と第２吸収体部の間の吸収体不存在部に配設した拡散シートにて第１吸収体部と第２吸収体部の間の空間を確保でき、排尿液が吸収体不存在部に確実に流れ込み、吸収体に拡散吸収される。
【００５５】
請求項２記載の発明によれば、吸収体の吸収体不存在部により幅方向の幅がある程度確保でき、吸収パッドを装着した場合、吸収パッドの位置ずれが防止でき、また、第１吸収体部体部と第２吸収体部とにある程度の剛性が確保でき、第１吸収体部と第２吸収体部との不規則な捩れが防止される。
【００５６】
さらに、吸収体不存在部に流れた液体が吸収性物品本体の長て方向の背側腰回り部、腹側腰回り部に位置する吸収体の部分に拡散して吸収体に有効に液体を吸収できる。
【００５７】
請求項３記載の発明によれば、吸収体の吸収体不存在部に位置して装着した吸収パッドを男性の排尿位置に合せて装着でき、男性用として吸収パッドの装着位置を確実にでき、排尿の液体を確実に吸収できる。
【００５８】
請求項４記載の発明によれば、吸収体不存在部に位置して装着した吸収パッドを女性の排尿位置に合せて装着でき、女性用として吸収パッドの装着位置を確実にでき、排尿液を確実に吸収できる。
【００５９】
請求項５記載の発明によれば、吸収性物品本体の透液性表面シートの表面には、吸収体の吸収体不存在部に位置して面状ファスナーと係合する係合面を形成したので、この係合面に吸収パッドの裏面に設けた面状ファスナーを結合でき、吸収パッドを装着するとき、吸収パッドの装着が容易で確実に所定位置に吸収パッドを装着できる。
【図面の簡単な説明】
【図１】  本発明の前提となる使い捨て吸収性物品の展開平面説明図である。
【図２】  同上Ａ−Ａ線部の縦断面説明図である。
【図３】  同上Ｂ−Ｂ線部の縦断面説明図である。
【図４】  本発明の前提となる他の形態を示す使い捨て吸収性物品の展開平面説明図である。
【図５】  本発明の前提となる他の使い捨て吸収性物品の展開平面説明図である。
【図６】  本発明の一実施の形態を示す使い捨て吸収性物品の縦断面説明図である。
【図７】  本発明の他の前提となる使い捨て吸収性物品の縦断面説明図である。
【符号の説明】
１    吸収性物品本体
２    透液性表面シート
３    不透液性裏面シート
４    背側腰回り部
５    脚回り部
６    股下回り部
７    腹側腰回り部
８    吸収体
11    第１吸収体部
12    第２吸収体部
13    吸収体不存在部
15    拡散シート
【図１】
0004099306.tif 000002
【図２】
0004099306.tif 000003
【図３】
0004099306.tif 000004
【図４】
0004099306.tif 000005
【図５】
0004099306.tif 000006
【図６】
0004099306.tif 000007
【図７】
0004099306.tif 000008